(57)【要約】【課題】工事等の必要な期  間に応じ、階段仕上材の汚染や破損等を十分に防止出来ると共に、階段の安全な昇降を可能にする階段保護部材を提供する。【解決手段】  階段マット保護材１等の階段保護部材を提供する。階段マット保護材１等は、階段の踏板３上で、階段マット５等の階段仕上材上に載置され、階段マット５等の上面を覆う踏面部１Ａを備える。階段マット保護材１等は、必要に応じてか又は予め、階段マット５等との間で積層体を構成し、階段構造２を形成する事が出来る。階段マット保護材１等は、階段マット５等との間でのずれ及び滑りが防止され得るように、階段マット５等及び階段の踏板のいずれか１方又は双方に着脱可能に固定され、階段マット５等の汚れ及び破損が防止される。【選択図】図１
2007132162.tif 000002
【特許請求の範囲】
【請求項１】
階段の階段仕上材上に載置される階段保護部材であって、前記階段仕上材の上面を覆う踏面部を備えており、前記階段仕上材との間でのずれ及び滑りが防止され得るように、前記階段仕上材及び前記階段の踏板のいずれか１方又は双方に着脱可能に固定され、前記階段仕上材の汚れ及び破損が防止される、階段保護部材。
【請求項２】
前記階段保護部材が固定部を備えており、前記階段保護部材が前記固定部によって前記階段仕上材上に固定される、請求項１記載の階段保護部材。
【請求項３】
前記階段仕上材に凹部又は凸部が設けられており、前記階段保護部材が前記階段仕上材の前記凹部又は凸部と逆形状の凸部又は凹部を有しており、前記階段仕上材と前記階段保護部材とが凹部及び凸部の少なくとも一方によって密接する、請求項１又は２記載の階段保護部材。
【請求項４】
前記階段保護部材が階段の段鼻を覆う段鼻部を備えており、前記段鼻部が前記踏面部とは異なる色の目印を有する、請求項１〜３のいずれか一項記載の階段保護部材。
【請求項５】
前記踏面部及び前記段鼻部の少なくとも１方の表面に、溝部、凹凸部、及び凸部表面の微細な凹凸部からなる群より選ばれる滑り止め加工が施されている、請求項１〜４のいずれか一項記載の階段保護部材。
【請求項６】
階段上で用いる階段仕上材と階段保護部材との組合せであって、前記階段保護部材が前記階段仕上材の上面を覆う踏面部を備えており、前記階段保護部材が、前記階段仕上材との間でのずれ及び滑りが防止され得るように、前記階段仕上材及び前記階段の踏板のいずれか１方又は双方に着脱可能に固定され、前記階段仕上材の汚れ及び破損が防止される、階段仕上材と階段保護部材との組合せ。
【請求項７】
階段と、前記階段の踏板上の階段仕上材とを備える階段構造であって、前記階段仕上材上に階段保護部材が載置されており、前記階段保護部材が前記階段仕上材の上面を覆う踏面部を備えており、前記階段保護部材が、前記階段仕上材及び前記階段の踏板のいずれか１方又は双方に着脱可能に固定されており、前記階段仕上材と前記階段保護部材との間でのずれ及び滑りが防止されており、前記階段仕上材の汚れ及び破損が防止されている、階段構造。
【発明の詳細な説明】
【技術分野】
【０００１】
本発明は、建築物の工事期間中等にも、階段仕上材、特に階段マットが汚れたり傷付いたりする事が無く、階段マットの保護養生が行え、何度も繰返し使用が出来、簡単に着脱出来、階段マットに密接し、ずれたり、滑る事の無い、工事業者、資材搬入業者等も安全に昇降する事が出来る、階段保護部材に関する。
【背景技術】
【０００２】
従来から、建物は完成近くになると様々な工事業者、工事関係者が出入りし、特に階段は必ず工事業者等の全員が１日に何回も昇降を繰り返す通行頻度の高い部位となる。ところが、従来、階段の仕上面専用の保護材は無く、階段仕上材の保護養生は、各工事現場で独自に様々に行われている。階段の踏面の仕上材としては、階段マット等が用いられている（例えば、特許文献１参照）。
【特許文献１】特開平１０−８８７６０号公報
【発明の開示】
【発明が解決しようとする課題】
【０００３】
現状では、工事期間中等において、階段仕上材の保護に用いられるものは、養生シート等の厚手のフィルム、段ボール、合板等であり、これらをガムテープやクラフトテープ、養生テープ等で止めて、階段仕上材が保護養生される。かかる方法は、何れも、養生シート等の保護材を階段仕上材上に直接テープ止めするものであり、階段仕上材にテープの粘着材が付着したり、両端の踏面や踏面裏、蹴込み、桁等とテープ固定するので、固定面積が小さくなり、固定度が低かったりする為、階段仕上材との間でずれを止める事が出来難い。
【０００４】
これらの保護養生は、初期には特に問題は無いが、数日経過すると、ダンボールやフィルム等では、到る所で破損が生じ、滑り易く、つまずき易くなり、場合によっては、合板やダンボール等が階段の段鼻部よりも先端側に出てしまい、極めて危険な状況になる事が多い。しかも、床等の広い面積を一度に養生シートで養生するのでは無く、階段が複雑な形状である事と、階段仕上材としての階段マットには直接テープ等を貼る事が出来無い事等から、かなりの手間をかけて養生されているが、昇降頻度が高い為、短期間で危険な状態になり易い。
【０００５】
工事現場は、屋外から資材の搬入があり、屋外は芝生や踏石等の工事がまだ為されてい無い状況である事が多く、雨天時等では特にぬかるんでいる事もあって、濡れた土の付着した土足で昇降する為、特にフィルムは滑り易く危険であり、ダンボールは濡れると破損し易く危険である。その為、現場担当者が何回も養生をやり直す必要があり、階段は１段ずつ養生が必要となって、手間がかかるだけで無く、その際等に階段仕上材も汚れ易い。つまり、屋内の床等に用いられる養生シートはスリッパ等の上履きに履き替えれば歩行等での破損は生じ難く、平坦な場所での歩行は比較的安全である。しかし、階段は歩行が不安定になり易く、土足で、しかも同じ位置を踏まれる頻度が必然的に多く、破損し易い条件が元来そろっている。この様に、階段保護材の必要性は高いものの、階段には階段専用の保護材が作られておらず、かかる現実に目を向けて、安全な保護材を提供しようとする者はいなかった。
【０００６】
本発明は、かかる従来の問題点に着目し、工事等の必要な期間に応じ、階段仕上材の汚染や破損等を十分に防止出来ると共に、階段の安全な昇降を可能にする階段保護部材を提供する事を目的とする。
【課題を解決するための手段】
【０００７】
本発明は、階段の階段仕上材上に載置される階段保護部材であって、前記階段仕上材の上面を覆う踏面部を備えており、前記階段仕上材との間でのずれ及び滑りが防止され得るように、前記階段仕上材及び前記階段の踏板のいずれか１方又は双方に着脱可能に固定され、前記階段仕上材の汚れ及び破損が防止される、階段保護部材、階段仕上材と階段保護部材との組合せ及びかかる階段保護部材が用いられている階段構造に係るものである。
【０００８】
本発明者は、階段仕上材を保護し、安全な昇降を可能にする保護材について、種々の試作、検討を繰り返した。その結果、階段保護部材が具備すべき点は、
（１）階段仕上材（又は階段マット）が施工された後、必要に応じて、これを被覆保護し、階段仕上材を汚れや破損等からガード出来る形状及び強度を有する点、
（２）階段仕上材と階段保護部材とが、ずれたり、滑ったりする事無く密接し、安全性に優れる点。
（３）階段保護部材がそれ自体、着脱可能な固定方法で階段仕上材又は階段の踏板に固定され、何回も再使用を可能にする点
である事を見出し、これらを具備する階段保護部材の作製を経て、本発明に至った。
【発明の効果】
【０００９】
本発明によれば、階段仕上材を必要に応じて階段保護部材により十分に保護する事が出来、その際の安全な昇降をより一層確実に提供する事が出来る。
【発明を実施するための最良の形態】
【００１０】
本発明は、工事期間中等において、予め施工されている階段仕上材の汚染、破損等を防止するという目的を、階段仕上材との間で積層体を構成する事が出来る階段保護部材による最小の構成で、工事業者、資材搬入業者等の様々な昇降状態における安全性を損なわずに実現する。
【００１１】
本発明の階段保護部材は、形状等、特に制限され無いが、階段仕上材（特に、階段マット）の上面を覆う踏面部を備えている。階段マット以外の階段の踏面を被覆する様に構成する事も出来る。階段マット等の階段仕上材との間で積層体を構成するのが良く、階段保護部材と階段仕上材との組合せとして構成しても良い。階段保護部材は、階段仕上材の外形より１周り大きく作るのが良く、これによって階段仕上材全体を被覆する事が出来る。
【００１２】
階段保護部材は、固定手段等、特に制限され無いが、階段仕上材、踏板等に固定すれば良く、それで、階段仕上材の外周やその側面をも被覆出来、ずれが生じ難くなる。階段保護部材は、階段仕上材上に固定される様に、固定部を備える事が出来る。
【００１３】
固定手段としては、嵌合等、係止等、嵌設、嵌装、嵌挿、嵌着、嵌通、嵌入、嵌脱、遊嵌等、係合、係着、係入等、遊挿等の固定方法や着脱方法を用いる事が出来、階段仕上材、階段保護部材、階段の蹴込み、踏板、桁等の間で、嵌め合せたり、挟み込んだり、挿入したりして、これらの手段を用いる事が出来る。
【００１４】
例えば、階段仕上材の上面又は側面、踏板等を利用した凹部と凸部の嵌合、ピン等を使った物理的固定、再剥離型両面テープによる固定等々で固定出来、着脱可能で再使用可能なら特に制約は無い。又、例えば、階段仕上材と階段保護部材には、互いを固定する固定部を設ける事が出来る。又、階段仕上材に凹部又は凸部を設け、階段保護部材が階段仕上材の前記凹部又は凸部と嵌合等する逆形状の凸部又は凹部を有していれば、階段仕上材と前記階段保護部材とを凹部及び凸部の少なくとも一方によって密接させる事が出来る。
【００１５】
又、階段仕上材と階段の蹴込みとの間に空間部を形成する場合には、階段保護部材は、この空間部に挿入出来る蹴込み部を突起等として備える事が出来る。階段仕上材と階段の蹴込みとの間に蹴込み部を挟み込む事により、階段保護部材を階段仕上材上に固定する事が出来る。
【００１６】
階段保護部材は、材質等、特に制限され無いが、弾性体からなるのが良く、かかる場合には、ゴムやエラストマーの単体や併用でも、ゴムやプラスチックの併用等であっても良い。階段仕上材や踏板が、老化防止剤や可塑剤等の移行により変色その他の悪影響を与えられなければ良く、非加硫タイプでも充分に使用出来る。
【００１７】
安全面では、階段仕上材の上面と階段保護部材の下面（裏面）とでずれたり、滑ったりすると危険なので、その両者の間は密接している方が良く、更には、階段保護部材の下面が階段仕上材の上面の凹凸部等の模様と逆形状の凹凸部等の模様を一部又は全面に形成してあると、互いの凹凸を嵌合させる事が出来、容易にずれたり、滑ったり出来無くなり、安全性が増す。
【００１８】
更に、階段保護部材は階段の段鼻を覆う段鼻部を設ける事が出来、この段鼻部に踏面部と異なる、出来るだけ目立った色で、例えば、線状、帯状に、目印を設けておけば、踏み外し事故等も発生し難くなるので、安全性はより一層向上する。又、段鼻部表面、踏面部、共に溝部、凹凸部等、これらを用いる模様、更には凸部表面の微細な凹凸部等の滑り止め加工を施す事で、濡れても滑り難いノンスリップ性が付与される。
【００１９】
又、階段保護部材の段鼻部は、蹴込み部との間で、階段仕上材を挟み込む様にして、階段仕上材上に階段保護部材を固定する事が出来る。又、階段保護部材において、階段の幅方向の両端部、階段の桁側等に突出部を設け、これらの突出部の間で階段仕上材を挟み込む事で、階段仕上材上に階段保護部材を固定する事が出来る。
【００２０】
以下、本発明の実施の形態を順に説明する。
本発明では、階段自体は、特に制約は無く、屋内屋外を問わず広く種々のものを用いる事が出来る。又騒音の少なさから言うと、階段桁や踏板は出来る丈、曲げ剛性が大きいものが良く、階段桁では、鋼板厚８ｍｍと同程度以上の曲げ剛性を有する桁が良く、踏板は無機質板が良い。一方、本願は、騒音低減に関する発明では無いので、前記のものは、用いる階段でより良い階段と考えれば良い。本発明においては、階段仕上材を施工後、如何にして工期終了までの期間、階段仕上材を美しく、傷付き難い状態に保つと共に、階段保護部材により安全性が損われない様にする事と、階段保護部材が着脱可能で、何回も階段保護部材として再使用出来るものであれば、階段等には、特に制限が無い。
【００２１】
階段仕上材としては、代表的には、前述の様な階段マットを挙げる事が出来るが、特に制限されず、種々の構造、形状のものを用いる事が出来る。例えば、階段仕上材には、踏板等も包含され、弾性体からなるものだけではなく、コンクリート等、種々の材料からなるものも包含される。また、踏面の先端（段鼻等）に埋め込まれる滑り留め（ノンスリップ等）でも良く、滑り留め、耐久性の向上、美観等の諸機能を果たす踏板等も含まれる。
【００２２】
階段保護部材の材質としては、前述した様に、各種ゴムやエラストマーやプラスチックを単独で又は併用して用いれば良く、それらを積層して用いても良い。これらの材料は伸縮するので、凹部への砂等の汚れが取れ易く、汚れを水洗等で容易に落とす事が出来る。又、場合によっては、階段仕上材との密着性を増す目的で、階段保護部材の裏面側を発泡体から構成しても良い。又、加硫は必ずしも必要で無く、非加硫で用いても良い。これには、特に１分子中にハードセグメントとソフトセグメントを有する熱可塑性エラストマーから得られたものが、加硫工程無しで、加硫物と類似の粘弾性挙動を示すので、都合が良い。階段保護部材として避けるべきものは、階段仕上材を汚染したり、劣化させたりするものである。
【００２３】
階段保護部材は、階段仕上材及び／又は踏板に嵌合出来る様な構造や、ピン等で物理的に固定する方法、再剥離粘着テープを用いて固定すれば良い。又、これらの固定は、容易に着脱可能で、かつ、踏板や階段仕上材に損傷を与えないものであれば、特に固定方法に制約は無い。
【００２４】
階段保護部材は階段仕上材を被覆する様に用いるので、階段仕上材と階段保護部材との接触面は密接して、ずれや、滑りに抵抗出来る様に使用する方が高い安全性を発揮する。更に安全性を向上させる為には、階段仕上材が表面に凹凸を有する様にし、階段保護部材がこれとは逆形状の凹凸を裏面の一部又は全体的に有する様にすると、凹凸が互いに嵌合出来、密接度が増す為、ずれや滑りはより一層起こり難くなり、安全性がより一層高くなる。
【００２５】
他に、段鼻部に踏面部と明瞭に判別出来る色で、例えば、線状や帯状等の目印を設けると、階段先端部が明瞭になる為、踏み外し事故が生じ難くなる。ＪＩＳ−Ｃ−７６１４により、踏み面の輝度（ａ）と段鼻部目印の輝度（ｂ）から輝度比（ａ／ｂ）を、踏面部と段鼻部の輝度比で１．５以上にする事が一つの目安となる。線状や帯状の部分は、ゴム生地を別に用意し、加硫成型時に同時成型しても良く、別々に成型し後から貼付ける、或いは、嵌合する方法でも良い。
【００２６】
更に、階段保護部材の表面に、凹凸や溝や凸部、更に凸部に細かい凹凸を設ける事で、特に水に濡れた時、水膜を連続して形成せず、ノンスリップ効果が高くなる。凹凸部の凸部面に細かな凹凸部を設ける意味は、多量の水は凹部に排出されるが、凸部に細かな凹凸を設ける事で、凸部に残った少量の水分により形成される水膜の連続性が断たれる為、濡れても滑り難くなると考えられる。水に濡れるときの滑りの目安は、ＪＩＳ−ａ−１４０７の濡れた時の床滑り抵抗係数（Ａ）と乾燥時の床滑り抵抗係数（Ｂ）の比（Ａ／Ｂ）が０．７以上あれば濡れても滑り難いと判断出来る。
【００２７】
上記の様な階段保護部材は工期終了と共に取り外し、表面の汚れを除去し、損傷度をチェックして、悪い物は取り換えておく事で、何回でも安心して別の階段の階段保護部材として再使用出来、見た目も良く、安全に工事をする事が出来、ゴミも発生しないので、環境にも良い。又、損傷により取り替えの必要なメーカーに送り返せば、メーカーはこれを粉末ゴムとし、再度階段保護部材の原料の一部として使えば永久にリサイクル出来るものである。
【００２８】
階段保護部材の周囲及びその内部の空間厚みは、階段仕上材の凸部厚みの±２０％が適切であり、特に厚みが厚くなると、密着性が徐々に悪化し、ずれが生じたり、滑り易くなったりするので好ましくなく、逆に薄くなると、下部隙間から汚れが入り込み易くなり、汚れのおそれが高まる。
【００２９】
階段保護部材の長辺方向の両端（階段の昇降方向から見て左右の端部、階段両側）の側面に多くの穴を設けると、密着性が増して、汚れ難くなる。これは、階段両側の手すり近くを歩く人が、多く穴から得られるクッションを利用する事による為と思われる。
【００３０】
又、縦横方向（階段の昇降方向から見て前後方向）では正確に寸法合わせをして、隙間無しであっても良いが、５〜２０ｍｍ位の余裕がある方が、施工上容易であり、この程度の余裕は、保護特性やずれ、滑り等に対する悪影響を生じさせ無い。逆に、２０ｍｍを超えた大きいサイズでは、踏板からのはみ出し等が生じる危険性があり、材料のコストアップとなるだけで、あまりメリットは生じ無い。
【００３１】
又、階段保護部材の踏面部の厚みは、選択したポリマーによって最適厚みは自ずと上下するし、何回の繰り返し使用を想定して設計するかにもより、粘弾性体が容易に損傷を受け無い点と現場への搬入搬出時の重量とを考慮して決定すれば良く、通常２〜５ｍｍ厚を想定すれば良い。
【００３２】
又、階段仕上材は、用いる現場によって、一定の長さとは限ら無いので、その様な場合の対応としては、階段保護部材を、予め、２分割、３分割出来る構造とする事が出来る。又、分割等の場合、互いの階段保護部材を重ね合わせて用いても良い。重ね合わせによって生じる凹凸は、養生シートやダンボール等の破損に比べ、安全性の問題は殆ど生じさせない様にする事が出来る。更に、分割等の場合、互いの階段保護部材の重ね合わせ部分を工夫する事で、より一層簡単に対応出来る。例えば、２分割等の分割の場合、互いの階段保護部材を重ね合わせて用いれば、種々の長さに対応出来、この場合、重ね合わせ部において、階段保護部材の重ね合わせ部の裏面で、階段仕上材の凹部に嵌め込む凸部を設け無いものを用意する。又、重ね合わせ使用に限られ無いが、嵌め込み凸部を、例えば、一状の長辺方向の階段仕上材凹部にのみ嵌合するタイプのものとすれば、スムーズな対応が出来、ずれや滑りを十分に防止出来る。２分割、３分割の階段保護部材も、継目をテープ止めで対応すれば、再使用の時にも、異なる長さの階段仕上材にも対応が出来る。
【００３３】
図面を参照して、本発明をより一層詳細に説明する。
図１は、本発明の実施例１の階段マット保護材が階段マットの全面を被覆した踏面平面図である。図２は図１のＡ−Ａ線断面図である。図３は図２の踏板、蹴込み付近の階段マットと階段マット保護材の拡大図である。図４は実施例２の階段マット保護材を示す平面図であり、（ａ）は実施例２の蹴込み付き踏板に階段マットを貼り付けた上から被覆した平面図であり、（ｂ）は（ａ）の○印部の拡大平面図である。図５は図４に用いた階段マット保護材の裏面図である。図６は本発明の実施例２に用いた階段マット表面と階段マット保護材の裏面の接した部分の断面図である。図７は蹴込み一体化踏板に階段マットを貼り、その上に階段マット保護材の３分割品を固定した平面図である。図８は図７の階段マット保護材の３分割品をバラバラにして裏面を上に向けた平面図であり、（ａ）は図７の右側のものであり、（ｂ）は図７の中央のものであり、（ｃ）は図７の左側のものである。
【００３４】
図１〜３は１例の階段マット保護材１（階段保護部材）を用いる階段構造２の一部を示す図である。踏板３と蹴込み４とが一体となった無機質ＰＣ板の階段である。蹴込み４との間に１０ｍｍの空間を空けて、長辺方向両端各２５ｍｍの空間を空けて、階段マット５（階段仕上材）が踏板３上に貼られている。階段マット５には、破線で示した段鼻部６が付いている。階段マット保護材１は、踏面部１Ａ、段鼻部１Ｂを備え、階段マット５の全体を被覆しおり、実線で示してある。以下、同じ参照符号は、同様の構成物を指す。
【００３５】
この様に、階段マット保護材１等の階段保護部材は、階段の踏板３上で、階段マット５等の階段仕上材上に載置され、階段仕上材の上面を覆う踏面部１Ａを備える。階段保護部材は、必要に応じてか又は予め、階段仕上材との間で積層体を構成し、階段構造２を形成する事が出来る。階段保護材は、階段仕上材との間でのずれ及び滑りが防止され得る様に、階段仕上材及び階段の踏板のいずれか１方又は双方に着脱可能に固定され、階段仕上材の汚れ及び破損が防止される。
【００３６】
階段マット保護材１は、その踏面部１Ａが階段マット５上にあり、蹴込み部１Ｃが蹴込み４と階段マット５との間に隙間が無い様に入れられている。階段マット保護材１の長さ方向両端（桁側）の突出部１Ｄ，１Ｅは、各々階段マット５の側面を覆い、片側に２箇所ずつ、固定ピン７で、階段マット５と階段マット保護材１の長さ方向両端部１Ｄ，１Ｅに予め設けた穴を介して固定されている。
【００３７】
図２は図１のＡ−Ａ線断面を示した図である。図２に詳細に示す様に、踏板３は蹴込み４と一体化した無機質ＰＣ板であり、段鼻部６付き階段マット５が粘着両面テープ８で踏板３に貼付けられている。階段マット５は、段鼻部６、踏面共に、凹部９と凸部１０が設けられ、その上に階段マット保護材１が設けられている。階段マット保護材１の表面も凹凸面はあるが、図２では省略する。階段マット保護材１の段鼻部１Ｂには踏面部１Ａと異なる色で明瞭な目印１Ｆが線状に設けられている。
【００３８】
図３は図２の踏板３と蹴込み４の部分近くを詳細に示すもので、階段構造２において、階段と階段マット５と階段マット保護材１を拡大する図である。階段マット５の蹴込み側側面と蹴込み４との間には、空間部が形成され、階段マット保護材１には、この空間部に対向する部分に、蹴込み部１Ｃが形成されており、ここが階段マット５と階段マット保護材１とを固定する嵌合固定部となっている。
【００３９】
この図では、階段マット５の表面と階段マット保護材１の裏面の状況が明らかになる。階段マット５の凹部９、凸部１０、階段マット保護材１の裏面の凸部１１、凹部１２が設けられており、及び階段マット５の表面の凹部９及び凸部１０が階段マット保護材１の裏面の凸部１１及び凹部１２と各々連続して嵌合部が形成され、ずれ難く、滑り難い密接状態となっている。階段マット保護部材の表面には、凹部１３及び凸部１４が形成され、凸部１４の表面には、更に細かな凹凸１５が形成されている。階段マット保護材１の蹴込み部１Ｃには、帯状の突出部１６を設ける事が出来、これに対応する凹部を階段マット５に設ける事によって、より一層十分な固定が可能になる。
【００４０】
図４〜６は他の例の階段保護部材２１及び階段構造２２を示すもので、蹴込み４と一体成型の踏板３上に、階段マット２５を貼り、その上に階段マット保護材２１を設ける、階段構造２２の一部の平面図である。階段マット２５は、踏板３の長辺両端と蹴込み４側を少し残して貼られる。階段マット保護材２１を取り付けると、蹴込み４側は隙間無く、長辺両端はわずかに踏板３が見える状態になる。蹴込み４と反対面には階段マット２５の段鼻部６があり、その上に階段マット保護材２１の段鼻部２１Ｂがある。図１のものと同様に、階段保護部材２１は、踏面部２１Ａ、蹴込み部２１Ｃ、長さ方向両端部２１Ｄ，２１Ｅ等を有する。
【００４１】
図４（ｂ）は図４（ａ）の○印部の拡大図である。階段マット２５が破線で示され、蹴込み４側の階段マット２５の２本の破線の間、蹴込み４側から内側の破線までは、階段マット保護材２１の嵌合凸部２１Ｆが入る嵌合凹部２６を示している。長さ方向端部付近の階段マット２５と階段マット保護材２１には各々固定ピンを挿入する穴２６が設けられている。
【００４２】
図５は階段マット保護材２１の裏面を示す図である。蹴込み側には階段マット２５の嵌合部２６に入る嵌合突起２１Ｆが長さ方向に伸びている。蹴込み側の反対側には段鼻部２１Ｂがあり、階段マット保護材２１の裏面は−状、┬状、＋状の突起２１Ｇ，２１Ｈ，２１Ｊが部分的に設けられ、階段マット２５の凹凸の凹部に嵌まり、ずれや滑りを防止する様になっている。
【００４３】
図６は階段マット２５の表面と階段マット保護材２１の裏面とが合わせられた部分の一部を拡大する断面図である。階段マット２５の凹部２９に階段マット保護材２１の裏面の凸部２１Ｊ等が嵌合し、階段マット保護材２１の裏面凸部２１Ｊと階段マット２５の凹部２９との間には、わずかな隙間３０がある。階段マット２５の凸部３１には細かな凹凸３２があり、階段マット保護材２１の裏面、特に、凸部２１Ｊ等の間の凹部と密接しているが、この凹部には、細かな凹凸は必ずしも設ける必要は無い。階段マット２５は下部に粘着両面テープ８があり、踏板３に貼り付けられる様になっている。階段マット保護材２１の表面は凹部３３を有し、凹部３３の間の凸部３４には更に細かな凹凸３５が形成されている。
【００４４】
図７は更に他の例の階段マット保護材４１及び階段構造４２を示し、蹴込み４４を一体化した踏板３上に、破線で示された階段マット４５が取り付けられ、その上を階段マット保護材４１が被覆している事を示す平面図である。図１、図４等の階段マット保護材と同様であるが、階段マット保護材４１は２箇所の継目４６があり、両側部分と中央部分とに３分割されている。
【００４５】
図８（ａ）〜（ｃ）は階段マット保護材４１の３分割部材各々の裏面図である。階段マット保護部材４１は２つの端部材４７，４８及び１つの中央部材４９からなる。図８（ａ）及び（ｃ）のものは、階段マット保護材４１の長さ方向両端の端部材４７，４８であり、図８（ｂ）のものは中央部材４９である。
【００４６】
階段マット保護材４７，４８，４９は、蹴込み側と桁側の踏板に接する部分が断面略Ｌ字状に突出しており、蹴込み側では、階段マット保護材４７，４８，４９の嵌合用突起４７Ｆ、４８Ｆ，４９Ｆとなり、線状に形成されてある。桁側の突出部４７Ｄ、４８Ｅは、端部材４７，４８のみに設けられる。階段マット保護材４７，４８，４９には、段鼻部４７Ｂ，４８Ｂ，４９Ｂも設けられている。
【００４７】
踏面部４７Ａ，４８Ａ，４９Ａの裏面には、各々階段マット４５の凹部に嵌合される一状の突起５１が部分的にあり、端部材方向からの長さ調整用重ね合せ部には突起は設けられておらず、他の階段で再利用する際、端部材４７，４８と中央部材４９との継目部分を重ね合わせる事によっても突起による凹凸が生じない様になっている。
【実施例】
【００４８】
以下、図面を参照し、実施例に基づいて本発明を具体的に説明する。
（実施例１）
図１〜３に示す様な階段保護部材を施工する。
無機質ＰＣ板の蹴込み一体型踏板（５０ｍｍ厚×２５５ｍｍ幅×１０００ｍｍ長さ、蹴込高さ１４５ｍｍ）を階段桁（１２ｍｍ厚）にボルト固定した階段１３段に、階段マット（７ｍｍ厚×２５０ｍｍ幅×９５０ｍｍ長さ）を両面粘着テープで貼り付ける。この際、踏板長辺両側の踏板が２５ｍｍずつ露出して残り、蹴込み側の踏板が１０ｍｍ露出して残る様に取り付ける。
【００４９】
次に、階段マット保護材（踏面：３ｍｍ厚×２６５ｍｍ幅×９８０ｍｍ長さ、周辺部空間高さ７．５ｍｍ、短辺方向で階段マットとの隙間１ｍｍ、長辺方向で階段マットとの隙間各５ｍｍ）を階段マットの上にセットし、長辺方向両端各２カ所へ、ＰＰ（ポリプロピレン）製固定ピンを押し込み固定する。蹴込み側で、階段マット側の蹴込みと階段マットとの間の凹部に、階段マット保護材の蹴込み部として設ける凸部の線状の嵌合部を押し込んで固定する。階段マット保護材の裏面全面には、階段マット凹部に嵌合する凸部を設ける。
【００５０】
施工は一人で作業し、階段保護部材の施工について総合計作業時間計り、結果を表１に示す。又、階段マット保護材の施工後、歩行昇降試験を行い、歩行感、ずれ感覚、滑り感覚、視認性、及びかけ足昇降感覚試験を行い、男女各５名ずつで評価する。又、１０Ｌの水を散布した状態で、歩行及びかけ足での昇降感覚試験を男女各５名ずつで行う。結果を表１に併せて示す。又、階段マット保護材、及び階段マットの耐久性を見るために、金槌を階段マット保護材の３カ所／段に高さ１ｍから落下させた後、階段マット保護材を１３段分取り外し、その合計時間を計り、結果を表１に示す。又、金槌落下部の階段マットの損傷度を点検し、結果を表１に傷数／３９箇所の値で示す。同時に階段マットの汚れ度も点検する。
【００５１】
（実施例２）
図４〜６に示す様な階段保護部材を施工する。
実施例１に用いる階段に取り付けたままの状態のもので、実施例１で用いる階段マットに対し、階段マット保護材（踏面４ｍｍ×２６５ｍｍ幅×９９０ｍｍ長さ、周辺部空間高さ８．５ｍｍ、短辺方向で階段マットとの隙間無し、長辺方向で階段マットとの隙間各１０ｍｍ）を、階段マット保護材の長辺両端と蹴込み側の下面に両面粘着テープ貼り、固定する。この例は固定ピンや階段マット保護材側の蹴込み側側面の凸部は予め削り取って固定には用いない。
【００５２】
一人作業で１３段分施工し、階段マット保護材の取り付け作業時間の合計を算出し、結果を表１に示す。次に、実施例１と同様に、歩行とかけ足昇降試験を行い、歩行感、ずれ感覚、滑り感覚、視認性について、男女各５名ずつ計１０人による乾燥時と濡れ時のアンケートを行い、それらの結果を表１に併せて示す。又、金槌を、階段マット保護材の上１ｍから落下させる。落下は３箇所／段とし、１３段全部行い、落下部の階段マットの損傷度を点検し、結果を表１に傷数／３９箇所で示す。同時に１３段の階段マット保護材の取り外し時間を計り、結果を表１に示す。このときには、取り外し作業者以外の者が階段マットの汚れ度も点検する。
【００５３】
（実施例３）
図７及び８に示す様な階段保護部材を施工する。
実施例１に用いる階段マットを再度使用し、階段マット保護材としては、実施例１に用いるのと同じものを２枚で１段分の３分割階段マット保護材を使用する。１枚の階段マット保護材の両端３０ｃｍずつ切断し、もう１枚から両端を含まない様に４５０ｍｍの長さで切り、中央の階段マット保護材とする。このとき、予め、裏面の凸部は、図８に示す様に一状の凸部のみになる様に削り取る。両端の階段マット保護材を上にして、各々３０ｍｍづつ重ね合わせてガムテープで固定する。階段マット保護材は両面粘着テープで踏板に固定し、蹴込み部において階段マットと嵌合させ、両端は２カ所づつ固定ピンで固定する。
【００５４】
実施例１と同様に、階段マット保護材の取付時間の合計を行い、歩行とかけ足昇降テストを行い、歩行感、ずれ感覚、滑り感覚、視認性について、男女各５名ずつの計１０人のアンケートを、乾燥時と濡れた時の両方で調査する。金槌を１ｍ高さから３３箇所／段に落下させ、１３段分の３９箇所の損傷をチェックする。１３段分の階段マット保護材を取り外し、その作業時間を計る。又、階段マットの汚れ度もチェックする。それらの結果を表１に示す。
【００５５】
【表１】
2007132162.tif 000003
【００５６】
表１を参照し、実施例の結果について説明する。
実施例１は、階段マットと階段マット保護材を、蹴込み側の嵌合と両端のピン固定のみで固定する場合のものである。階段マット保護材の取り付けも容易で、２７分で１３段分が完了している。又、取り外しも１３段分で２２分であり、非常に簡単に着脱出来る事が判る。階段マット保護材の歩行やかけ足での昇降テスト及び乾燥時と濡れた時の昇降テストもほぼ良好な結果で、ずれや滑りが全く無い事が判る。金槌の落下でも、階段マット及び階段マット保護材共に、損傷は全く発生し無いし、汚れも全く無い。
【００５７】
実施例２は、階段マット保護材の蹴込み側の嵌合が無い様に凸部を削り取り、固定ピンでの固定も行っていないものである。但し、階段マット保護材は、蹴込み側と両端のみを踏板と両面粘着テープのみで固定した場合のものであり、階段マット保護材の裏面の凸部は図５に示す様に多くの凸部を削り取ってある。階段マット保護材の取り付け時間は３３分であり、実施例１より少し長くなったが、１段当り３分もかかっていない。取り外し時間も３１分で、これも実施例１には及ば無いものの、作業性は特に問題は無いと思われる。歩行感、視認性等は特に問題は無く、乾燥と濡れた場合も差が無い。ずれ感覚、滑り感覚は、全員が無しとしており、良好である。金槌の落下でも、階段マット、階段マット保護材共に、何れの部位も損傷は発生せず、階段マットの汚れも生じ無い。
【００５８】
実施例３は、階段マット保護材を３分割した場合であり、固定は、蹴込側に嵌合部、両端に固定ピン各２カ所で階段マットに固定するもので、更に、踏板にも両面粘着テープで固定し、３分割の継目２カ所はガムテープで固定しているものである。又、裏面は図８に示す様に実施例２より更に少なくなっている。階段マット保護材を１３段取り付けるのに４２分とやや多くかかっているが、踏板と階段マットの両方に固定し、かつ継目を処理する為であり、１段当り４分以内で処理出来ており、特に問題にならない。逆に、取り外しも３６分であり、１段当りでは３分以内で、これも作業性での問題は無い事が判る。歩行感、視認性も特に問題は無く、乾燥と濡れた時の差は生じ無い。特に、ずれ感覚、滑り感覚では、全員が全条件で、無しの回答をしており、非常に良好である事が判る。金槌落下の損傷は、階段マット、階段マット保護材共に３９箇所中１箇所も発生していない。
【００５９】
以上の結果から分かる様に、本発明によれば、取り付け、取り外しが容易に行え、ずれ感覚、滑り感覚等の問題は全く感じず、歩行感、視認性もほぼ満足出来る階段構造が提供出来る。本発明の階段保護部材は、金槌の落下による損傷も、階段マット及び階段マット保護材共に発生させず、階段マットの汚れも発生させず、階段マット等の階段仕上材の保護材としての役目は充分果たすものである。
【産業上の利用可能性】
【００６０】
本発明の階段保護材は、工事期間中、改装期間中等、必要に応じ、階段仕上材の汚れ、破損等を有効に防止する事が出来、着脱も比較的簡便で、昇降時の安全性にも十分に配慮出来、天候、重量、昇降回数等、様々な状況において問題なく適用出来る。
【図面の簡単な説明】
【００６１】
【図１】本発明の１例の階段保護部材によって得られる階段構造の一部を上から見る上面図である。
【図２】図１の階段構造をＡ−Ａ線で切断して見る断面図である。
【図３】図２の階段構造の蹴込付近の拡大図である。
【図４】（ａ）は本発明の他の例の階段保護部材の上面図であり、（ｂ）は（ａ）の○印部分の拡大図である。
【図５】図４の階段保護部材の裏面図である。
【図６】図４の階段保護部材の嵌合部分を部分的に拡大して示す断面図である。
【図７】本発明の更に他の例の階段保護部材の上面図である。
【図８】（ａ）は図７の階段保護部材の右側部分の裏面図であり、（ｂ）は図７の階段保護部材の中央部分の裏面図であり、（ｃ）は図７の階段保護部材の左側部分の裏面図である。
【符号の説明】
【００６２】
１  階段マット保護材
１Ａ  踏面部
１Ｂ  段鼻部
２  階段構造
３  踏板
４  蹴込み
５  階段マット
６  階段マットの段鼻部
【図１】
2007132162.tif 000004
【図２】
2007132162.tif 000005
【図３】
2007132162.tif 000006
【図４】
2007132162.tif 000007
【図５】
2007132162.tif 000008
【図６】
2007132162.tif 000009
【図７】
2007132162.tif 000010
【図８】
2007132162.tif 000011